(57)【要約】【課題】常時、適切な通信チャネルが選択可能な通信基地局を提供する。【解決手段】通信基地局であって、受信電波強度測定手段及び妨害電波測定手段の各測定結果をファジィ推論エンジン部に入力する測定情報入力部と、ファジィ推論エンジン部が上記入力された測定結果に基づいたファジィ推論により出力したファジィ推論結果に従って、複数の通信チャネルの中から一つの通信チャネルを選択する選択手段と、を備え、適切な通信チャネルが選択可能となる。【選択図】図１
2005039719.tif 000002
【特許請求の範囲】
【請求項１】
移動局からの制御チャネル信号を受信する受信手段と、
制御チャネル信号を送信する送信手段と、
当該受信した制御チャネル信号の電波強度を測定する受信電波強度測定手段と、
前記移動局と通信するための通信チャネルの妨害電波強度を測定する妨害電波強度測定手段と、
所定のファジィ推論ルールを適用してファジィ推論を実行するファジィ推論エンジン部と、
前記受信電波強度測定手段及び前記妨害電波測定手段の各測定結果を前記ファジィ推論エンジン部に入力する測定情報入力部と、
前記ファジィ推論エンジン部が上記入力された測定結果に基づいたファジィ推論により出力したファジィ推論結果に従って、前記複数の通信チャネルの中から一つの通信チャネルを選択する選択手段と、を備えることを特徴とする通信基地局。
【請求項２】
請求項１記載の通信基地局において、前記ファジィ推論エンジン部は、当該ファジィ推論ルールを変更するファジィ推論ルール変更手段を有することを特徴とする通信基地局。
【請求項３】
請求項１記載の通信基地局において、前記ファジィ推論エンジン部は、所定のルールを有するファジィ推論によって得られたファジィ推論結果を更に異なるルールを有するファジィ推論に入力することを特徴とする通信基地局。
【請求項４】
請求項１記載の通信基地局において、更に、回線制御部を有し、上記通信制御部により捕捉された通信チャネルにより、前記回線制御部が移動局との通話を実行することを特徴とする通信基地局。
【請求項５】
請求項１記載の通信基地局において、前記ファジィ推論エンジン部は、ファジィ推論ルール変更部を介して推論結果をファジィ推論エンジン部へフィードバックすることを特徴とする通信基地局。
【請求項６】
移動局からの制御チャネル信号を受信する受信手段と、
制御チャネル信号を送信する送信手段と、
当該受信した制御チャネル信号の電波強度を測定する受信電波強度測定手段と、
基地局より送信する電波強度を設定する手段と、
前記移動局と通信するための通信チャネルの妨害電波強度を測定する妨害電波強度測定手段と、
所定のファジィ推論ルールを適用してファジィ推論を実行するファジィ推論エンジン部と、
前記受信電波強度測定手段及び前記妨害電波測定手段の各測定結果を前記ファジィ推論エンジン部に入力する測定情報入力部と、
前記ファジィ推論エンジン部が上記入力された測定結果に基づいたファジィ推論により出力したファジィ推論結果に従って、前記複数の通信チャネルの中から一つの通信チャネルを選択する選択手段と、を備えることを特徴とする通信基地局。
【請求項７】
請求項６記載の通信基地局において、前記ファジィ推論エンジン部は、当該ファジィ推論ルールを変更するファジィ推論ルール変更手段を有することを特徴とする通信基地局。
【請求項８】
請求項６記載の通信基地局において、前記ファジィ推論エンジン部は、所定のルールを有するファジィ推論によって得られたファジィ推論結果を更に異なるルールを有するファジィ推論に入力することを特徴とする通信基地局。
【請求項９】
請求項６記載の通信基地局において、更に、回線制御部を有し、上記通信制御部により捕捉された通信チャネルにより、前記回線制御部が移動局との通話を実行することを特徴とする通信基地局。
【請求項１０】
請求項６記載の通信基地局において、前記ファジィ推論エンジン部は、ファジィ推論ルール変更部を介して推論結果をファジィ推論エンジン部へフィードバックすることを特徴とする通信基地局。
【発明の詳細な説明】
【技術分野】
【０００１】
本発明は、無線通信を行う移動局と基地局において、ファジィ理論を用いて最適な通信チャネルを選択する技術に関するものである。
【背景技術】
【０００２】
一般的な無線電話システムのひとつに、セルラー無線電話システムがある。セルラー無線電話システムを実現するためには、まず、広い領域を細分化する。その細分化された領域をセルと称し、セルを電波的にカバーする固定局（以下、「基地局」）が設置される。また、その基地局を複数接続し、統合的に管理する交換局が設置される。このように、セルを複数設定することにより、広い範囲をカバーすることが可能となる。また、その交換局は既存の電話回線網、インターネット網などと接続され、対電話、対データサーバなどへの通信が可能となる。
【０００３】
このようなシステムは、ＰＨＳおよび無線ＬＡＮなどにおいても利用されている。この固定局と交換局を介して無線電話機に対して音声またはデータ通信サービスを提供する。以後、無線電話機は移動局として、また、固定局は基地局として説明する。従来の無線通信における通信チャネルの選択方法について、（表１）、（表２）、（表３）、（表４）、（表５）、図１、図２を用いて説明する。
【０００４】
【表１】
2005039719.tif 000003
【０００５】
【表２】
2005039719.tif 000004
【０００６】
【表３】
2005039719.tif 000005
【０００７】
【表４】
2005039719.tif 000006
【０００８】
【表５】
2005039719.tif 000007
【０００９】
基地局は、複数の通信チャネルの中から、最良のチャネルを選択するために、常にチャネル単位で妨害電波強度を測定している。（表１）は、基地局が割当て可能な通信チャネルの上り方向（以下、「アップリンク」）、下り方向（以下、「ダウンリンク」）の妨害電波強度と、そのチャネルに割り当てられた際に基地局から送出することが許されている送信出力の相関を示している。なお、妨害電波強度は、アップリンク側をＲｘレベル、ダウンリンク側をＴｘレベルと記述する。
【００１０】
また、（表２）は、基地局が制御チャネルのアップリンクにて受信した移動局からの受信電波強度を示している。（表３）は、アップリンク制御チャネル受信電波強度により基地局・移動局距離を決定するしきい値を示している。
【００１１】
図１にて説明すると、基地局１１０に近い移動局１０１から受信するアップリンク制御チャネルの受信電波強度１２１は、基地局１１０から遠い移動局１００から受信するアップリンク制御チャネルの受信電波強度１２０よりも強いことがわかっている。基地局−移動局間の距離において、受信電波が強い＝距離が近い、受信電波が弱い＝距離が遠いといった関係を利用して、アップリンク制御チャネル受信電波強度にしきい値を設けて基地局から近い／遠いを判定している。
【００１２】
（表３）において、制御チャネルのアップリンクにて受信した電波強度が、（表２）のパターン１に示されるような、基地局−移動局距離判定しきい値として規定されている値以上であれば、判定２０１において、アップリンクにて受信した移動局からの電波強度が強いとみなすことができるため、移動局が基地局近傍に存在していると判断する。そのため、２０２にてダウンリンクの送信出力を小送信出力と決定する。また、基地局からのダウンリンク送信出力を小出力に設定したため、ダウンリンク側の妨害が一番小さいところ、すなわち、（表１）において、Ｔｘレベルが一番小さいチャネルを選択するという２０３を用いる。この場合、（表５）のパターン１に示されるチャネル選択結果となる。
【００１３】
一方、アップリンクの制御チャネルにて受信した電波強度が、（表２）のパターン２に示されるような基地局−移動局距離判定しきい値として規定されている値よりも小さい場合、判定２０１において、基地局から移動局は遠くに存在していると判断する。そのため、２０４にてダウンリンクの送信出力を大送信出力と決定する。また、基地局からのダウンリンク送信出力を大出力に設定したため、アップリンク側の妨害が一番小さいところ、すなわち、（表１）において、Ｒｘレベルが一番小さいチャネルを選択する２０５を用いる。この場合、（表５）のパターン２に示されるチャネル選択結果となる。
【００１４】
引用文献には、セル式電話ネットワークにおけるハンドオーバーを制御するファジィ理論の使用に関し、呼をハンドオーバーすべきかを決定するために、ファジイ推論エンジン入力を受信する段階と、当該ファジィ推論エンジンに含まれる所定の１組の規則に適用する技術が開示されている。
【特許文献１】特開平１１−２８６５７３号公報
【発明の開示】
【発明が解決しようとする課題】
【００１５】
しかしながら、この場合、しきい値を境として、通信チャネルを選択するロジックを変更する仕組みは、クリスプ論理（Ｃｒｉｓｐ  ｌｏｇｉｃ）にて規定されているため、しきい値の境界をまたぐかまたがないかで、選択ロジックが一変するという性質を持つ。
【００１６】
ここで、クリスプ論理とは、その値が、ある集合に属するか属さないかの明確な２値論理であり、境界のあいまいさが無いという性質を持つ一方、中間的な判断ができにくいと
いう性質を持つ。このため、アップリンクの受信電波強度がしきい値付近でわずかに異なる場合でも、しきい値から大きく離れている場合でも、選択するためのロジックの適用は変化が無い。
【００１７】
アップリンク制御チャネル受信電波強度  ４１ｄＢの時  ⇒  （表５）のパターン１
アップリンク制御チャネル受信電波強度  ３９ｄＢの時  ⇒  （表５）のパターン２
このように、従来のファジィ制御では、アップリンクの受信電波強度がしきい値をはさんでわずか２ｄＢ異なるだけでも、しきい値からの差分が大きい場合（表２）と変わらないチャネル選択ロジックが適用される。
【００１８】
即ち、従来のファジイ制御において、しきい値を境界として、通信チャネルを選択するロジックを急激に変更することは、通話品質的な観点からも、しきい値付近で通信チャネルの品質が急変するなど、好ましい選択結果を得るのは困難であった。
【課題を解決するための手段】
【００１９】
上記課題を解決する為に、本発明は、移動局からの制御チャネル信号を受信する受信手段と、制御チャネル信号を送信する送信手段と、当該受信した制御チャネル信号の電波強度を測定する受信電波強度測定手段と、前記送信した制御チャネル信号の電波強度を測定する送信電波強度測定手段、前記移動局と通信するための通信チャネルの妨害電波強度を測定する妨害電波強度測定手段と、所定のファジィ推論ルールを適用してファジィ推論を実行するファジィ推論エンジン部と、前記受信電波強度測定手段、前記送信電波強度測定手段及び前記妨害電波測定手段の各測定結果を前記ファジィ推論エンジン部に入力する測定情報入力部と、前記ファジィ推論エンジン部が上記入力された測定結果に基づいたファジィ推論により出力したファジィ推論結果に従って、前記複数の通信チャネルの中から一つの通信チャネルを選択する選択手段と、を備える構成とした。
【００２０】
本発明の目的は、常時、最適な通信チャネルを選択できる通信基地局を提供することである。
【発明の効果】
【００２１】
以上のように、本発明において、移動局からの制御チャネル信号を受信する受信手段と、制御チャネル信号を送信する送信手段と、当該受信した制御チャネル信号の電波強度を測定する受信電波強度測定手段と、前記移動局と通信するための通信チャネルの妨害電波強度を測定する妨害電波強度測定手段と、所定のファジィ推論ルールを適用してファジィ推論を実行するファジィ推論エンジン部と、前記受信電波強度測定手段及び前記妨害電波測定手段の各測定結果を前記ファジィ推論エンジン部に入力する測定情報入力部と、前記ファジィ推論エンジン部が上記入力された測定結果に基づいたファジィ推論により出力したファジィ推論結果に従って、前記複数の通信チャネルの中から一つの通信チャネルを選択する選択手段と、を備える通信基地局であり、この構成により、現在の通信チャネル選択に際して用いられているしきい値判定をファジィ化し、入力される複数の尺度が異なる情報を総合的に判断することにより、当該基地局は、最適な通信チャネル選択を行うことができる。
【００２２】
また、本発明の通信基地局において、前記ファジィ推論エンジン部は、当該ファジィ推論ルールを変更するファジィ推論ルール変更手段を有することにより、ファジィ推論エレメントを追加、削除することも容易で、ファジィ推論エンジンの機能を柔軟に変更することができるため、当該基地局は、最適な通信チャネル選択を行うことができる。
【００２３】
また、本発明の通信基地局において、前記ファジィ推論エンジン部は、所定のルールを有するファジィ推論によって得られたファジィ推論結果を更に異なるルールを有するファ
ジィ推論に入力することにより、より精度の高いファジィ推論が可能となり、適切な通信チャネルが選択できる。
【００２４】
また、本発明の通信基地局において、更に、回線制御部を有し、上記通信制御部により捕捉された通信チャネルにより、前記回線制御部が移動局との通話を実行することにより、当該基地局は、最適な通信チャネル選択を行うことができる。
【００２５】
更に、本発明の通信基地局において、前記ファジィ推論エンジン部は、ファジィ推論ルール変更部を介して推論結果をファジィ推論エンジン部へフィードバックすることにより、多重ファジィ推論ルールをチューニングすることにより、動的に最適なルールを設定することが可能であるため、当該基地局は、最適な通信チャネル選択を行うことができる。
【００２６】
加えて、本発明の通信基地局において、基地局より送信する電波出力を設定する手段は、通信チャネルに最適な送信出力を設定することができる。
【発明を実施するための最良の形態】
【００２７】
本発明の請求項１に記載の発明は、移動局からの制御チャネル信号を受信する受信手段と、制御チャネル信号を送信する送信手段と、当該受信した制御チャネル信号の電波強度を測定する受信電波強度測定手段と、基地局より送信する電波強度を変更する手段と、上記移動局と通信するための通信チャネルの妨害電波強度を測定する妨害電波強度測定手段と、所定のファジィ推論ルールを適用してファジィ推論を実行するファジィ推論エンジン部と、上記受信電波強度測定手段、上記送信電波強度測定手段及び上記妨害電波測定手段の各測定結果を上記ファジィ推論エンジン部に入力する測定情報入力部と、上記ファジィ推論エンジン部が上記入力された測定結果に基づいたファジィ推論により出力したファジィ推論結果に従って、上記複数の通信チャネルの中から一つの通信チャネルを選択する選択手段と、を備えることにより、僅かな電波状態の変化により、通信チャネルを頻繁に変更することなく、常時、適切な通話チャネルが選択できる。
【００２８】
本発明の請求項２に記載の発明は、請求項１の通信基地局において、上記ファジィ推論エンジン部は、当該ファジィ推論ルールを変更するファジィ推論ルール変更手段を有することにより、当該推論ルールが変更でき、常時、更に適切な通話チャネルが選択できる。
【００２９】
本発明の請求項３に記載の発明は、請求項１の通信基地局において、所定のルールを有するファジィ推論によって得られたファジィ推論結果を更に異なるルールを有するファジィ推論に入力することにより、異なるルールの重み付けを導入したファジィ推論による推論結果が得られる。
【００３０】
本発明の請求項４に記載の発明は、請求項１の通信基地局において、更に、回線制御部を有し、上記通信制御部により捕捉された通信チャネルにより、上記回線制御部が移動局との通話を実行するため、しきい値付近での選択ルールの大幅変更を発生することない通信チャネルの選択が可能になる。
【００３１】
本発明の請求項５に記載の発明は、請求項１の通信基地局において、上記ファジィ推論エンジン部は、ファジィ推論ルール変更部を介して推論結果をファジィ推論エンジン部へフィードバックすることにより、自動的にファジィ推論のルールをチューニングする。
【００３２】
本発明の請求項６に記載の発明は、移動局からの制御チャネル信号を受信する受信手段と、制御チャネル信号を送信する送信手段と、当該受信した制御チャネル信号の電波強度を測定する受信電波強度測定手段と、基地局より送信する電波強度を設定する手段と、上記移動局と通信するための通信チャネルの妨害電波強度を測定する妨害電波強度測定手段
と、所定のファジィ推論ルールを適用してファジィ推論を実行するファジィ推論エンジン部と、上記受信電波強度測定手段及び上記妨害電波測定手段の各測定結果を上記ファジィ推論エンジン部に入力する測定情報入力部と、上記ファジィ推論エンジン部が上記入力された測定結果に基づいたファジィ推論により出力したファジィ推論結果に従って、上記複数の通信チャネルの中から一つの通信チャネルを選択する選択手段と、を備える通信基地局となり、僅かな電波状態の変化により、通信チャネルを頻繁に変更することなく、常時、適切な通話チャネルに対して、基地局より最適な送信出力の電波送信強度を設定できる。
【００３３】
本発明の請求項７に記載の発明は、請求項６の通信基地局において、上記ファジィ推論エンジン部は、当該ファジィ推論ルールを変更するファジィ推論ルール変更手段を有することにより、当該推論ルールが変更でき、常時、更に適切な通話チャネルが選択できる。
【００３４】
本発明の請求項８に記載の発明は、請求項６の通信基地局において、所定のルールを有するファジィ推論によって得られたファジィ推論結果を更に異なるルールを有するファジィ推論に入力することにより、異なるルールの重み付けを導入したファジィ推論による推論結果が得られる。
【００３５】
本発明の請求項９に記載の発明は、請求項６の通信基地局において、更に、回線制御部を有し、上記通信制御部により捕捉された通信チャネルにより、上記回線制御部が移動局との通話を実行するため、しきい値付近での選択ルールの大幅変更を発生することない通信チャネルの選択が可能になる。
【００３６】
本発明の請求項１０に記載の発明は、請求項６の通信基地局において、上記ファジィ推論エンジン部は、ファジィ推論ルール変更部を介して推論結果をファジィ推論エンジン部へフィードバックすることにより、自動的にファジィ推論のルールをチューニングする。
【００３７】
図３は、本発明の一実施の形態が適用される基地局の構成を示すブロック図であり、図４は、本発明の一実施の形態が適用される多重多段ファジィ推論の概念図であり、図５は、本発明の一実施の形態が適用されるファジィ推論エンジン部、および多重ファジィルールを示すブロック図であり、図６は、ファジィルールのチューニングに関する概念図である。
【００３８】
図３において、３０１は移動局と無線信号の送受信、および、Ｔｘレベル、Ｒｘレベルを測定するために用いられる複数の移動局からの各種信号を受信する受信手段としての基地局アンテナ、３０２は当該受信したアップリンクの制御チャネルの受信電波強度を測定する手段としての制御チャネル受信電波強度測定部、３０３はＲｘレベルを測定する手段としての受信妨害波強度（Ｒｘレベル）測定部、３０４は、Ｔｘレベルを測定する手段としての送信妨害波強度（Ｔｘレベル）測定部、３０６はファジィ推論を用いたファジィ推論エンジン部、３０５は、制御チャネル受信電波強度測定部３０２、受信妨害波強度（Ｒｘレベル）測定部３０３、送信妨害波強度（Ｔｘレベル）測定部３０４より測定された各種電波強度をファジィ推論エンジン部３０６に入力する情報入力部、３１０はファジィ推論エンジン部３０６のファジィ推論ルールを修正（追加、削除等を含む）を行うファジィ推論ルール変更部、３０９はファジィ推論エンジン部３０６によって得られたファジィ推論結果に基づきチャネル選択を実施するチャネル選択部、３０７は受信手段を介して、制御チャネル情報および通信チャネル情報を移動局へ送受信する通信制御部、３０８は無線側の通信制御部と通信し、ネットワーク側との回線制御を行う回線制御部である。尚、通信制御部３０７は、送信電波の強度を変更する変更手段を含んでいる。また、受信妨害波強度（Ｒｘレベル）測定部３０３及び送信妨害波強度（Ｔｘレベル）測定部３０４を合わせて受信電波強度測定手段とする。
【００３９】
図４において、４０１は多重多段ファジィ推論への入力であり、４０２、４０３、４０４は多重ファジィ推論ルールである。
【００４０】
４０５は、多重多段ファジィ推論の結果である。多重多段ファジィ推論は、尺度の異なるものの関連について言語的につながりを持たせてルール付けし、モデル化できるという利点を持つ。例えば、金融市場において、マネーサプライが上がると金融市場に出回るお金が増えるため、銀行が日銀から資金を借りる場合の金利が下がる。銀行は低金利で資金を調達できるため、低金利で企業へ貸し出すことができるようになる。低金利で資金が借り入れられるようになった企業は、設備投資を増やし、雇用が増えるなどというモデルを多重ファジィ推論結果を複数重ねることによって（多段に行うことにより）、比較的簡単に多重多段ファジィ推論としてモデル化を実現することができる。マネーサプライから雇用の増加まで、直接関連づけするのが難しく、また、入力したものと尺度が異なる推論結果を求める場合には、多重多段ファジィ推論は有利である。当実施例においても、制御チャネルの受信電波強度から推論した基地局と移動局との距離と、測定した妨害電波の強度とは尺度が異なるが、多重多段ファジィ推論を用いることにより、「電波の届きやすさ」という尺度の結論を得ることができる。
【００４１】
以上のように構成された基地局について、まず、図５を用いて、通信チャネルの選択におけるファジィ推論エンジン部の動作を説明する。ファジィ推論エンジン部３０６の詳細な内容は、図５にて示される。図５（ｂ）に示される５０１〜５０７は、ファジィ推論エンジン部を構成するファジィ推論エレメントと規定する。ファジィ推論エレメントは、多重ファジィ推論ルールによって、その挙動を規定される。図５（ａ）の５３１〜５３７は、図５（ｂ）に示される５０１〜５０７の多重ファジィ推論ルールの詳細である。また、論理式５４１は、当該チャネルの品質を評価する論理式である。
【００４２】
図５（ｂ）を入力から順に説明する。ファジィ推論エンジン部３０６に入力される情報は、制御チャネル受信電波強度測定部３０２にて測定された制御チャネル受信電波強度５１１、３０４にて測定されたＴｘレベル５１５、３０３にて測定されたＲｘレベル５１４である。一方、ファジィ推論エンジンの出力としては、送信電波出力５２０、当該チャネル品質５２１の２つの情報を出力とする。
【００４３】
まず、ファジィ推論エレメント５０１に上記電波強度５１１を入力する。５０１の多重ファジィ推論ルールはルール５３１にて規定されており、制御チャネル受信電波強度により、基地局と移動局との距離に関するファジィ推論結果５１２、５１３（５１２と５１３は同値）となる。距離に関するファジィ推論結果は、５１２、５１３として更に、次段のファジィ推論エレメント５０２、５０３へ入力する。このように、多重ファジィ推論ルールによって規定されたファジィ推論エレメントを多段に連ねて行う推論の形式を多重多段ファジィ推論と言う。
【００４４】
多重多段ファジィ推論の概念図は、図４に示す。入力４０１に対して、多重ファジィ推論ルール４０２によって導かれた推論結果を、また更に多重ファジィ推論ルール４０３に入力、これを繰り返して多重多段ファジィ推論結果４０５が導かれる。
【００４５】
５１２を更に、５０２（多重ファジィ推論ルール５３２）に入力し、送信電波の届きやすさというファジィ推論結果５１６を導出する。また、送信電波の届きやすさは、Ｔｘレベル５１５を入力した５０３（多重ファジィ推論ルール５３３）の推論結果でも得られるため、送信電波の届きやすさファジィ合成処理５１０にて５０２、５０３のファジィ推論結果を合成し、次段のファジィ推論エレメント５０４に入力する。ルール５０４に入力した結果、ファジィ推論エンジン部の出力のひとつである、送信電波出力５２０を導出する
ことができる。また、出力５２０をさらにルール５０７（多重ファジィ推論ルール５３７）に入力することによって、送信電波の届きやすさ、受信電波の届きやすさをどの程度重視するかの重み付け５１９を導出する。
【００４６】
同様にして、距離５１３をルール５０５（多重ファジィ推論ルール５３３）に入力し、ファジィ推論結果として基地局が移動局から受信する電波の届きやすさを導出する。また、Ｒｘレベル５１４を入力したルール５０６（多重ファジィ推論ルール５３６）によってもファジィ推論結果として基地局が移動局から受信する電波の届きやすさが導出されるため、受信電波の届きやすさファジィ合成処理５０９において、それらを合成し、ファジィ推論結果である受信電波の届きやすさ５１７を導出する。
【００４７】
５１７、５１６と同値の送信電波の届きやすさ（評価式Ａ入力用）である５１８、５１９を当該チャネル品質の評価式である５０８（論理式詳細５４１）に入力し、もう一つのファジィ推論エンジンの出力である、当該チャネル品質５２１を導出する。
【００４８】
上記の処理を、全てのチャネルに対して実行し、ファジィ推論エンジン部３０６のアウトプットである５２１をチャネル選択部３０９にて比較し、最良のチャネルを通信チャネルとして選択する。
【００４９】
本実施の形態では、ファジィ推論エンジン部において、ファジィ推論エンジン部の出力に必要な入力条件さえ確保できれば、基本的に自由にファジィ推論ルール変更部３１０を介してファジィ推論エレメントおよび入力条件を削除することが可能である。例えば、送信電波の届きやすさ５１６を導出する条件として、基地局−移動局間の距離を考慮に入れないのであれば、ファジィ推論エレメント５０１、５０２、および入力５１１は削除可能である。このような場合、ファジィ推論ルール変更部３１０を介して、ファジィ推論エレメントを削除しても、結論を導出するのに必要な入力さえ確保できれば良い。
【００５０】
本実施の形態にて、ファジィ推論結果に対するフィードバックをかけることにより、多重ファジィ推論ルールをチューニングする機構について、図６を用いて説明する。ここでは、送受信の重み付けに関するファジィ推論を行うファジィ推論エレメント５０７（多重ファジィ推論ルール５３７）において説明する。図６（ａ）に示すのは、多重ファジィ推論ルール５３７である。受信電波の届きやすさ重視の度合いを示すファジィメンバシップ６０１と、送信電波の届きやすさ重視の度合いを示すファジィメンバシップ６０２から構成されている。図６（ｄ）に示されるファジィチューニングルール６３１を適用すると、図６（ｂ）、（ｃ）に示されるチューニングを行う。まず、図６（ｂ）を説明する。受信系で通信障害が発生した場合、受信における品質が軽視されていたとみなし、ファジィメンバシップ６０４の幅を狭くすることにより、受信電波の届きやすさの重視の度合いを示す６０３の比率を高める処理を行う。また、逆に、送信系で通信障害が発生した場合、送信における品質が軽視されていたとみなし、ファジィメンバシップ６０５のように幅を狭くすることにより、送信電波の届きやすさの重視の度合いを示す６０６の比率を高める処理を行う。このことにより、常にファジィ推論ルールをチューニングすることにより、動的に最適なファジィルールを設定することができる。
【産業上の利用可能性】
【００５１】
本発明は、無線通信技術、特に移動局と基地局において、ファジィ理論を用い最適な通信チャンネルを選択することにより、移動局と基地局との円滑な通信形態を達成するものである。
【図面の簡単な説明】
【００５２】
【図１】本発明の一実施例の無線電波強度と距離の関係を示す模式図
【図２】現在の基地局のチャネル選択処理方法を示すフローチャート
【図３】本発明の一実施例において、基地局の構成を示すブロック図
【図４】多重多段ファジィ推論の概念を示す概念図
【図５】本発明の一実施例において、ファジィ推論エンジンの構成を示すブロック図
【図６】本発明の一実施例において、多重ファジィ推論ルールのチューニング概念を示す概念図
【符号の説明】
【００５３】
３０１    基地局アンテナ
３０２    制御チャネル受信電波強度測定部
３０３    受信妨害波強度（Ｒｘレベル）測定部
３０４    送信妨害波強度（Ｔｘレベル）測定部
３０５    情報入力部
３０６    ファジィ推論エンジン部
３０７    通信制御部
３０８    回線制御部
３０９    チャネル選択部
３１０    ファジィ推論ルール変更部
４０１    多重多段ファジィ推論への入力
４０２    １段目多重ファジィ推論ルール
４０３    ２段目多重ファジィ推論ルール
４０４    ｎ段目多重ファジィ推論ルール
４０５    ｎ段多重ファジィ推論結果
【図１】
2005039719.tif 000008
【図２】
2005039719.tif 000009
【図３】
2005039719.tif 000010
【図４】
2005039719.tif 000011
【図５】
2005039719.tif 000012
【図６】
2005039719.tif 000013